(57)【要約】【課題】発熱部の発熱量が所定の発熱量を下回る場合に発熱部を間欠動作させる構成とされた場合に、発熱部の動作に係る表示が、間欠動作時にユーザに違和感を与えづらいよう適正に行われ得る給湯装置を提供する。【解決手段】給湯装置１０は、水を加熱するための熱を発するとともに、その発熱量が調節可能な燃焼器１０３と、燃焼器１０３が動作しているときには点灯し、燃焼器１０３が停止しているときには消灯する燃焼ランプ２０４と、制御部１２１と、を備える。制御部１２１は、所定の温度の湯を得るために要求される要求熱量に基づいて燃焼器１０３の発熱量を調節し、燃焼器１０３の発熱量が所定の発熱量を下回らない場合は、燃焼器１０３を連続動作させ、燃焼器１０３の発熱量が所定の発熱量を下回る場合は、燃焼器１０３を間欠動作させ、当該間欠動作時には、燃焼器１０３が停止しているときにも燃焼ランプ２０４を点灯させる。【選択図】図１
2020204439.tif 000002
【特許請求の範囲】
【請求項１】
水を加熱するための熱を発するとともに、その発熱量が調節可能な発熱部と、
前記発熱部が動作しているときには動作中を示す表示を行い、前記発熱部が停止しているときには前記動作中を示す表示を停止する表示部と、
前記発熱部および前記表示部を制御する制御部と、を備え、
前記制御部は、
所定の温度の湯を得るために要求される要求熱量に基づいて前記発熱部の発熱量を調節し、
前記発熱部の発熱量が所定の発熱量を下回らない場合は、前記発熱部を連続動作させ、
前記発熱部の発熱量が前記所定の発熱量を下回る場合は、前記発熱部を間欠動作させ、
前記発熱部の間欠動作時には、前記発熱部が停止しているときにも前記動作中を示す表示が継続されるように前記表示部を制御する、
ことを特徴とする給湯装置。                
【請求項２】
請求項１に記載の給湯装置において、
前記制御部は、前記間欠動作時、前記発熱部が動作する時間が所定時間よりも長い場合は、その動作が停止したときに前記動作中を示す表示を停止するよう、前記表示部を制御する、
ことを特徴とする給湯装置。
【請求項３】
請求項１または２に記載の給湯装置において、
前記制御部は、前記間欠動作時には、前記発熱部の連続動作時の表示態様と異なる表示態様で前記動作中を示す表示が行われるように前記表示部を制御する、
ことを特徴とする給湯装置。
【請求項４】
請求項１ないし３の何れか一項に記載の給湯装置において、
前記発熱部は、燃焼によって熱を発する燃焼器である、
ことを特徴とする給湯装置。
【発明の詳細な説明】
【技術分野】
【０００１】
本発明は、給湯装置に関する。
【背景技術】
【０００２】
熱交換器と、熱交換器を加熱するバーナーとを備え、熱交換器を加熱するために要求される要求熱量が、バーナーが有する最低の燃焼能力に対応した最低熱量以下である場合に、間欠運転（間欠動作）を行うようにバーナーが制御される給湯装置が、たとえば、特許文献１に記載されている。この給湯装置では、要求熱量が最低熱量より大きい場合に、比例制御による燃焼運転、即ち連続運転（連続動作）が行われる。
【先行技術文献】
【特許文献】
【０００３】
【特許文献１】特開２０１８−９１５３３号公報
【発明の概要】
【発明が解決しようとする課題】
【０００４】
従来、給湯装置では、燃焼表示が行われている。たとえば、給湯装置には、リモートコントローラにＬＥＤ等からなる燃焼ランプが設けられ、バーナーの燃焼および燃焼停止に同期して燃焼ランプが点灯および消灯する。なお、液晶パネル等の表示部に、バーナーが燃焼すると燃焼マークが表示され、バーナーの燃焼が停止すると、その燃焼マークが消えるような構成とされる場合もある。
【０００５】
上記のように、要求熱量が最低熱量以下である場合にバーナーの間欠運転を行う構成では、要求熱量によっては、間欠運転の周期が短くなることが想定される。よって、この構成において、上記の燃焼表示が行われた場合、間欠運転の周期が短くなると、たとえば、燃焼ランプが短い周期で点滅を繰り返すことになり、ユーザが、故障が生じたのではないかなどの違和感を覚える虞がある。
【０００６】
かかる課題に鑑み、本発明は、発熱部の発熱量が所定の発熱量を下回る場合に発熱部を間欠動作させる構成とされた場合に、発熱部の動作に係る表示が、間欠動作時にユーザに違和感を与えづらいよう適正に行われ得る給湯装置を提供することを目的とする。
【課題を解決するための手段】
【０００７】
本発明の主たる態様に係る給湯装置は、水を加熱するための熱を発するとともに、その発熱量が調節可能な発熱部と、前記発熱部が動作しているときには動作中を示す表示を行い、前記発熱部が停止しているときには前記動作中を示す表示を停止する表示部と、前記発熱部および前記表示部を制御する制御部と、を備える。ここで、前記制御部は、所定の温度の湯を得るために要求される要求熱量に基づいて前記発熱部の発熱量を調節し、前記発熱部の発熱量が所定の発熱量を下回らない場合は、前記発熱部を連続動作させ、前記発熱部の発熱量が前記所定の発熱量を下回る場合は、前記発熱部を間欠動作させる。さらに、前記制御部は、前記発熱部の間欠動作時には、前記発熱部が停止しているときにも前記動作中を示す表示が継続されるように前記表示部を制御する。
【０００８】
ここで、「所定の発熱量」は、たとえば、発熱部が調節可能な最低の発熱量、または、最低の発熱量よりも少し高い発熱量とすることができる。
【０００９】
また、たとえば、前記発熱部は、燃焼によって熱を発する燃焼器とすることができる。
【００１０】
上記の構成によれば、要求熱量が小さいことにより発熱部が間欠動作したとき、その間欠動作時において、発熱部の動作が停止しているときにも、表示部では動作中を示す表示が継続される。これにより、表示部が表示と非表示とを短い周期で繰り返すことを防止でき、ユーザが違和感を覚えてしまうことを防止できる。
【００１１】
本態様に係る給湯装置において、前記制御部は、前記間欠動作時、前記発熱部が動作する時間が所定時間よりも長い場合は、その動作が停止したときに前記動作中を示す表示を停止するよう、前記表示部を制御するような構成とされ得る。
【００１２】
上記の構成によれば、発熱部が動作する期間が長いために間欠動作の周期が長くなり、表示部による表示と非表示の繰り返し周期が長くなるときには、発熱部の動作および動作停止に同期して動作中を示す表示とその表示の停止とが行われる。このため、ユーザが違和感を覚えることを防止しつつ、ユーザが間欠動作時の実際の発熱部の動作状態を確認することが可能となる。
【００１３】
本態様に係る給湯装置において、前記制御部は、前記間欠動作時には、前記発熱部の連続動作時の表示態様と異なる表示態様で前記動作中を示す表示が行われるように前記表示部を制御するような構成とされ得る。
【００１４】
上記の構成によれば、ユーザは、発熱部が間欠動作していることを、表示部による動作中を示す表示の表示態様の違いにより把握することができる。
【発明の効果】
【００１５】
以上のとおり、本発明によれば、発熱部の発熱量が所定の発熱量を下回る場合に発熱部を間欠動作させる構成とされた場合に、発熱部の動作に係る表示が、間欠動作時にユーザに違和感を与えづらいよう適正に行われ得る給湯装置を提供できる。
【００１６】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１７】
【図１】図１は、実施形態に係る、給湯装置の構成を示す図である。
【図２】図２は、実施形態に係る、燃焼制御に係る処理を示すフローチャートである。
【図３】図３は、実施形態に係る、発熱量調節処理を示すフローチャートである。
【図４】図４は、実施形態に係る、給湯器の制御部により実行される燃焼ランプの燃焼表示の制御に係る処理を示すフローチャートである。
【図５】図５は、実施形態に係る、リモートコントローラの制御部により実行される燃焼ランプの燃焼表示の制御に係る処理を示すフローチャートである。
【図６】図６（ａ）は、実施形態に係る、燃焼器の間欠動作の周期が短いときの燃焼ランプによる燃焼表示について説明するための図であり、図６（ｂ）は、実施形態に係る、燃焼器の間欠動作の周期が短くないときの燃焼ランプによる燃焼表示について説明するための図である。
【図７】図７は、変更例に係る、給湯器の制御部により実行される燃焼ランプの燃焼表示の制御に係る処理を示すフローチャートである。
【図８】図８は、変更例に係る、リモートコントローラの制御部により実行される燃焼ランプの燃焼表示の制御に係る処理を示すフローチャートである。
【発明を実施するための形態】
【００１８】
以下、本発明の実施形態について図面を参照して説明する。本実施形態は、ガス式の給湯装置に本発明を適用したものである。
【００１９】
図１は、給湯装置１０の構成を示す図である。
【００２０】
図１に示すように、給湯装置１０は、給湯器１００とリモートコントローラ２００とを備えている。給湯器１００は、屋外または屋内に設置され、リモートコントローラ２００は、屋内に設置される。
【００２１】
給湯器１００は、外装ケース１０１を備える。この外装ケース１０１によって給湯器１００の外殻が構成される。外装ケース１０１には、外気を導入するための吸気口１０１ａが設けられている。ファン１１３が駆動されると、外装ケース１０１の内部が負圧となるため、吸気路Ｒ２を介して、空気が外装ケース１０１内に導入される。
【００２２】
外装ケース１０１の内部に缶体１０２が配置されている。缶体１０２内に、燃焼器１０３と、１次熱交換器１０４および２次熱交換器１０５が収容されている。燃焼器１０３には、点火を行うためのイグナイタ１０３ａが含まれる。イグナイタ１０３ａは、回路基板１２０の制御部１２１によって制御される。
【００２３】
燃焼器１０３には、配管１０６によって燃料ガスが供給される。配管１０６には、配管１０６を開閉するための電磁弁１０７と、燃料ガスの供給量を調節するための比例弁１０８が設けられている。比例弁１０８の開度が調節されることにより、燃料ガスの供給量が調節され、この結果、燃焼器１０３の発熱量が調節される。電磁弁１０７および比例弁１０８は、回路基板１２０の制御部１２１によって制御される。
【００２４】
１次熱交換器１０４および２次熱交換器１０５には、配管１０９が接続されている。配管１０９の入口に水が供給され、配管１０９の出口から湯が放出される。配管１０９を流れる水が１次熱交換器１０４および２次熱交換器１０５の流路を通る間に、燃焼器１０３の燃焼により生じた熱が１次熱交換器１０４および２次熱交換器１０５を介して水に伝達される。これにより、水が温められる。
【００２５】
なお、配管１０９の入口が水栓に繋がる場合と、外部装置に繋がる場合とがある。外部装置は、燃料電池の発電時の排熱を利用して予熱した水をタンクに蓄え、その予熱水を給湯装置１０に供給する装置である。外部装置は、太陽熱を利用して予熱した水をタンクに蓄え、その予熱水を給湯装置１０に供給する装置であってもよい。
【００２６】
１次熱交換器１０４は、顕熱回収式の熱交換器であり、２次熱交換器１０５は、潜熱回収式の熱交換器である。１次熱交換器１０４の流路部は銅からなっており、２次熱交換器１０５の流路部はステンレス鋼（SUS：Steel Use Stainless）からなっている。２次熱交換器１０５は、１次熱交換器１０４に対して排気路Ｒ１側に設けられている。配管１０９を流れる水は、２次熱交換器１０５を通る際に温められた後、さらに、１次熱交換器１０４を通る際に温められる。
【００２７】
配管１０９には、湯の放出量すなわち給湯量を調節するための出湯弁１１０が設けられている。出湯弁１１０は、ステッピングモータによって駆動される。出湯弁１１０の開度は、ステッピングモータのステップ数に従って変化する。ステッピングモータは、回路基板１２０の制御部１２１によって制御される。
【００２８】
さらに、配管１０９の入口側と出口側が配管１１１によってバイパスされている。配管１０９の入口側における配管１１１への分岐位置には、分配弁１１２が設けられている。分配弁１１２は、配管１１１への分流を制御するためのものである。分配弁１１２は、ステッピングモータによって駆動される。分配弁１１２の開度は、ステッピングモータのステップ数に従って変化する。分配弁１１２の開度により、配管１１１への分流の割合が調節される。配管１０９の出口へと向かう湯に配管１１１から水が混入され、これにより、配管１０９の出口から放出される湯の温度が調節される。ステッピングモータは、回路基板１２０の制御部１２１によって制御される。
【００２９】
缶体１０２の給気口１０２ａにファン１１３が連結されている。また、缶体１０２の排気口１０２ｂは、外装ケース１０１の側面に形成された孔を介して、外装ケース１０１の外部に延び出している。ファン１１３は、モータ（図示せず）が駆動されることにより、燃焼器１０３に燃焼用の空気を供給する。ファン１１３は、所定の空燃比で燃焼器１０３に空気が供給されるよう、制御部１２１により所定の回転数に制御される。
【００３０】
給湯器１００は、さらに、回路基板１２０と、３つの温度センサ１３１、１３２、１３３と、流量センサ１３４と、フレームロッド１３５を備えている。回路基板１２０には、制御部１２１の他、給湯器１００を駆動するための回路部が実装されている。
【００３１】
制御部１２１は、たとえば、マイクロコンピュータと、マイクロコンピュータの制御プログラムを格納したメモリとからなっている。メモリは、ＲＡＭ（Random Access Memory）やＲＯＭ（Read Only Memory）等を含む。メモリは、マイクロコンピュータのワーク領域としても用いられる。
【００３２】
３つの温度センサ１３１、１３２、１３３は、たとえば、サーミスタにより構成される。温度センサ１３１は、配管１０９における分配弁１１２よりも下流であって２次熱交換器１０５よりも上流に配置され、２次熱交換器１０５に入る前、即ち、２次熱交換器１０５および１次熱交換器１０４で加熱される前の配管１０９を流れる水の温度（以下、「入水温度」と称する）を検知する。温度センサ１３２は、配管１０９における１次熱交換器１０４よりも下流であって配管１１１よりも上流に配置され、１次熱交換器１０４から出た、即ち、２次熱交換器１０５および１次熱交換器１０４で加熱された後の配管１０９を流れる湯の温度（以下、「缶体温度」と称する）を検知する。温度センサ１３３は、配管１０９における配管１１１よりも下流であって出湯弁１１０よりも上流に配置され、配管１１１からの水が混合された後の配管１０９を流れる湯の温度（以下、「給湯温度」と称する）を検知する。温度センサ１３１、１３２、１３３からは、検知温度に対応する温度信号が制御部１２１へ出力される。
【００３３】
流量センサ１３４は、たとえば、羽根車式流量センサにより構成される。流量センサ１３４は、２次熱交換器１０５および１次熱交換器１０４を流れる水の流量（以下「缶体流量」と称する）を検知する。流量センサ１３４からは、検知流量に対応する流量信号が制御部１２１へ出力される。
【００３４】
フレームロッド１３５は、燃焼器１０３に設けられ、燃焼器１０３が燃焼しているか否かを検知する。燃焼器１０３が燃焼しているとき、フレームロッド１３５から制御部１２１へフレームロッド信号が出力される。燃焼器１０３の燃焼が停止すると、フレームロッド信号が停止する。
【００３５】
リモートコントローラ２００は、たとえば、キッチンやリビングルーム等に設置され、給湯温度の設定や、種々の情報の表示のために用いられる。リモートコントローラ２００は、制御部２０１と、操作部２０２と、表示部２０３と、燃焼ランプ２０４とを備えている。
【００３６】
制御部２０１は、たとえば、マイクロコンピュータと、マイクロコンピュータの制御プログラムを格納したメモリとからなっている。メモリは、ＲＡＭ（Random Access Memory）やＲＯＭ（Read Only Memory）等を含む。メモリは、マイクロコンピュータのワーク領域としても用いられる。
【００３７】
操作部２０２には、給湯装置１０を給湯が可能な動作状態に設定するための運転ボタン、給湯温度を設定するための設定ボタンなどの各種ボタンが設けられている。表示部２０３は、たとえば、液晶パネルであり、設定された給湯温度など、各種の情報が含まれる画面を表示する。燃焼ランプ２０４は、たとえば、単色または複数色の光を発光可能なＬＥＤにより構成され、燃焼器１０３が燃焼（動作）しているときには点灯し、燃焼器１０３の燃焼（動作）が停止しているときには消灯する。表示部２０３および燃焼ランプ２０４は、制御部２０１により制御される。
【００３８】
給湯器１００の回路基板１２０は、２芯通信線Ｓにより、リモートコントローラ２００と接続されている。２芯通信線Ｓは、給湯器１００からリモートコントローラ２００に対する電源供給にも用いられる。電源電圧に通信信号が重畳されることにより、回路基板１２０の制御部１２１とリモートコントローラ２００の制御部２０１との間で通信が行われる。たとえば、後述する燃焼制御において、制御部１２１から制御部２０１へ給湯信号、燃焼信号などが送信される。制御部１２１は、制御部２０１へ燃焼信号を送信することにより、制御部２０１を介して燃焼ランプ２０４を制御する。
【００３９】
次に、給湯装置１０における燃焼器１０３の燃焼制御について説明する。
【００４０】
なお、本実施形態では、燃焼器１０３の燃焼制御に用いられる熱量が号数により表される。１号は、１Ｌ/ｍｉｎの流量の下で水温（湯温）を２５℃上昇させるために必要な熱量である。よって、１号＝２５ｋｃａｌ/ｍｉｎとなる。
【００４１】
図２は、燃焼制御に係る処理を示すフローチャートである。燃焼制御に係る処理は、給湯器１００の制御部１２１により、給湯装置１０が動作状態にある間、繰り返し実行される。
【００４２】
図２を参照し、制御部１２１は、流量センサ１３４により検知された缶体流量が、最低作動流量（以下、「ＭＯＱ」と称する）以上であるか否かを判定する（Ｓ１０１）。給湯器１００に接続されたカランの蛇口がユーザにより開かれると、水栓や外部装置からの水が給湯器１００に供給されて配管１０９を流れ、缶体流量がＭＯＱ以上となる。
【００４３】
制御部１２１は、缶体流量がＭＯＱ以上であると判定すると（Ｓ１０１：ＹＥＳ）、ファン１１３を駆動するとともに、電磁弁１０７および比例弁１０８を開放し、イグナイタ１０３ａにより点火を行い、燃焼器１０３の燃焼を開始する（Ｓ１０２）。そして、制御部１２１は、要求熱量に応じて燃焼器１０３の発熱量を調節する発熱量調節処理を、缶体流量がＭＯＱ以上である間（Ｓ１０４:ＮＯ）、所定の実行周期［ｎ］で繰り返し行う（Ｓ１０３）。
【００４４】
カランの蛇口がユーザにより閉じられ、水栓や外部装置からの水の供給が停止すると、缶体流量がＭＯＱより小さくなる。制御部１２１は、缶体流量がＭＯＱより小さくなったと判定すると（Ｓ１０４：ＹＥＳ）、電磁弁１０７および比例弁１０８を閉鎖して燃焼器１０３の燃焼を停止する（Ｓ１０５）。この際、制御部１２１は、ファン１１３を、燃焼器１０３の燃焼が停止してから所定時間、たとえば、１０秒が経過した後に停止させる。
【００４５】
なお、ハンチング防止のため、ＭＯＱにヒステリシスを持たしてもよい。この場合、燃焼を開始させるための判定（Ｓ１０１）に用いるＭＯＱの値が燃焼を停止させるための判定（Ｓ１０４）に用いるＭＯＱの値よりも大きくされる。
【００４６】
図３は、発熱量調節処理を示すフローチャートである。
【００４７】
図３を参照し、制御部１２１は、要求熱量である要求号数ＱＲを算出する（Ｓ２０１）。要求号数ＱＲは、１次熱交換器１０４および２次熱交換器１０５での加熱により缶体設定温度の湯を得るために要求される熱量であり、缶体設定温度ＴＴ、入水温度Ｔｉｎおよび缶体流量Ｑを用いて、次の（式１）により算出される。
ＱＲ＝（ＴＴ−Ｔｉｎ）×Ｑ×０．０４・・・（式１）
【００４８】
ここで、缶体設定温度ＴＴは、ユーザにより設定される給湯設定温度Ｔｒよりも所定温度α（たとえば、１５℃）高い温度、即ちＴｒ＋αに設定される。給湯設定温度Ｔｒは給湯温度の目標値であり、リモートコントローラ２００において、ユーザの操作により設定される。
【００４９】
上述のとおり、燃焼器１０３は、比例弁１０８の開度、即ち燃料ガスの供給量を調節することにより、その燃焼による発熱量の調節が可能である。比例弁１０８の開度、即ち燃料ガスの供給量が最大であるとき、燃焼器１０３の発熱量は最高となり、比例弁１０８の開度、即ち燃料ガスの供給量が、燃焼器１０３の安定的な燃焼状態を確保できる下限値であるとき、燃焼器１０３の発熱量は最低となる。
【００５０】
制御部１２１のメモリには、燃焼器１０３の発熱量が調節可能な範囲において、要求熱量、即ち要求号数に対応付けられて比例弁１０８の開度が設定されたテーブルが記憶されている。
【００５１】
制御部１２１は、算出された要求号数が、燃焼器１０３の最低の発熱量である最低号数以上であるか否かを判定する（Ｓ２０２）。給湯器１００に供給される水の温度が低い場合や流量が大きい場合は、要求号数が大きくなるので、最低号数以上となりやすい。
【００５２】
要求号数が最低号数以上である場合（Ｓ２０２：ＹＥＳ）、制御部１２１は、メモリに記憶されたテーブルを参照して、要求号数に対応する比例弁１０８の開度を今回の開度に決定し（Ｓ２０３）、決定した開度となるように比例弁１０８の開度を調節する（Ｓ２０４）。
【００５３】
こうして、制御部１２１は、要求号数が最低号数を下回らない、即ち、燃焼器１０３の発熱量が調節可能な最低の発熱量を下回らない限り、実行周期［ｎ］で、Ｓ２０１〜Ｓ２０４の処理を繰り返し、燃焼器１０３の発熱量を要求号数となるように調節しながら燃焼器１０３を連続動作、即ち連続燃焼させる。
【００５４】
このような燃焼制御によって燃焼器１０３の発熱量が調節されることにより、１次熱交換器１０４および２次熱交換器１０５により加熱された後の湯の温度、即ち缶体温度を、缶体設定温度ＴＴに近い温度に維持することができる。なお、缶体設定温度ＴＴに加熱された湯は、配管１１１からの水が混合されて給湯設定温度Ｔｒまで温度が下げられた後に、配管１０９の出口から放出され、カラン等へ供給される。
【００５５】
一方、給湯器１００に供給される水の温度が高い場合や流量が小さい場合は、要求号数が小さくなるので、最低号数を下回りやすい。特に、給湯装置１０が、水の予熱を行う外部装置に接続されている場合には、供給される水の温度が高くなるので、要求号数が最低号数を下回りやすくなる。
【００５６】
要求号数が最低号数を下回る場合（Ｓ２０２：ＮＯ）、制御部１２１は、仮想号数を算出する（Ｓ２０５）。仮想号数は、燃焼器１０３の燃焼によって要求号数に相当する発熱量（以下、「実入力号数」と称する）が実際に１次熱交換器１０４へ入力されたときに、１次熱交換器１０４により出力されると予測される発熱量である。実行周期［ｎ］の仮想号数ｙ［ｎ］は、実入力号数ｘ［ｎ］と給湯器１００が有する応答遅れの時定数Ｌとを用いて、指数移動平均に従う以下の（式２）により算出することができる。
ｙ［ｎ］＝（（Ｌ×ｙ［ｎ−１］）＋ｘ［ｎ］）／（Ｌ＋１）・・・（式２）
【００５７】
ここで、ｙ［ｎ］は、今回の実行周期［ｎ］での仮想号数であり、ｙ［ｎ−１］は、前回の実行周期［ｎ−１］での仮想号数である。ｘ［ｎ］は、今回の実行周期［ｎ］での実入力号数であり、燃焼器１０３の燃焼が停止しているときには０号となり、燃焼器１０３が燃焼しているときには最低号数となる。
【００５８】
制御部１２１は、算出された仮想号数が要求号数を超える場合（Ｓ２０６：ＹＥＳ）、燃焼器１０３の燃焼を停止する（Ｓ２０７）。一方、制御部１２１は、算出された仮想号数が要求号数以下である場合（Ｓ２０６：ＮＯ）、燃焼時の発熱量が最低号数となるように燃焼器１０３を燃焼させる（Ｓ２０８）。
【００５９】
こうして、制御部１２１は、要求号数が最低号数を下回る限り、実行周期［ｎ］で、Ｓ２０１、Ｓ２０２、Ｓ２０５〜Ｓ２０８の処理を繰り返し、仮想号数が要求号数以下となる期間、最低号数で燃焼し、仮想号数が要求号数を超える期間、燃焼が停止するように、燃焼器１０３を間欠動作、即ち間欠燃焼させる。
【００６０】
要求号数が最低号数を下回る場合、燃焼器１０３の発熱量を最低号数となるように調節して燃焼器１０３を連続動作させても、缶体温度は、缶体設定温度ＴＴよりも高くなって缶体設定温度ＴＴに近い温度に維持できない。しかしながら、このような場合には、燃焼器１０３を間欠動作させることにより、間欠動作による平均的な発熱量が、最低号数より低い要求号数に近くなるようにできるので、缶体温度を、缶体設定温度ＴＴに近い温度に維持することができる。
【００６１】
なお、図３のフローチャートには示されていないが、燃焼器１０３の間欠動作時において、燃焼器１０３が燃焼している期間が最小時間（たとえば、１秒）を超えない場合には、仮想号数が要求号数を超えても制御部１２１が燃焼器１０３の燃焼を停止させず、燃焼器１０３の燃焼が停止している期間が最小時間（たとえば、１秒）を超えない場合には、仮想号数が要求号数以下となっても制御部１２１が燃焼器１０３の燃焼を開始しないような構成が採られることが望ましい。また、Ｓ２０１で算出された要求号数が最低号数よりも低い所定号数を下回る場合には、制御部１２１が、燃焼器１０３の間欠動作を行わずに燃焼を停止させるような構成が採られることが望ましい。
【００６２】
さて、上記のような燃焼制御が行われた場合、要求号数によっては、燃焼器１０３の間欠動作の周期が短くなることが想定される。このような短い周期の間欠動作において、燃焼器１０３の燃焼および燃焼停止に同期してリモートコントローラ２００の燃焼ランプ２０４が点灯および消灯すると、燃焼ランプ２０４が短い周期で点滅を繰り返すことになり、ユーザが、故障が生じたのではないかなどの違和感を覚える虞がある。そこで、本実施形態では、このような問題を回避できるように、燃焼ランプ２０４の燃焼表示が制御される。
【００６３】
図４は、給湯器１００の制御部１２１により実行される燃焼ランプ２０４の燃焼表示の制御に係る処理を示すフローチャートである。図５は、リモートコントローラ２００の制御部２０１により実行される燃焼ランプ２０４の燃焼表示の制御に係る処理を示すフローチャートである。図４および図５の制御処理は、給湯装置１０が動作状態にある間、繰り返し実行される。
【００６４】
図４を参照し、制御部１２１は、フレームロッド信号がオンしたか（出力されたか）否かを監視する（Ｓ３０１）。燃焼器１０３が燃焼すると、フレームロッド信号がオンする（Ｓ３０１：ＹＥＳ）。これにより、制御部１２１は、リモートコントローラ２００の制御部２０１へ燃焼信号を送信する（Ｓ３０２）。なお、フレームロッド信号が立ち上がると、立ち上がりからの経過時間の計測が開始される。
【００６５】
図５に示すように、制御部２０１は、燃焼信号を受信すると（Ｓ４０１：ＹＥＳ）、燃焼信号が受信されている間、燃焼ランプ２０４を点灯させる（Ｓ４０２）。つまり、実質的には、制御部１２１が燃焼ランプ２０４を制御し、燃焼信号によって燃焼ランプ２０４を点灯させることになる。
【００６６】
次に、制御部１２１は、フレームロッド信号がオフしたか（出力停止したか）否かを監視する（Ｓ３０３）。燃焼器１０３の燃焼が停止することにより、フレームロッド信号がオフすると（Ｓ３０３:ＹＥＳ）、制御部１２１は、給湯信号が停止しているか否かを判定する（Ｓ３０４）。
【００６７】
給湯信号は、給湯が行われているか否かをリモートコントローラ２００へ通知する信号であり、カランの蛇口が開かれて、図２のＳ１０２で燃焼が開始され、給湯装置１０による給湯が開始されると、制御部１２１からリモートコントローラ２００の制御部２０１へ送信され、カランの蛇口が閉じられて、図２のＳ１０５で燃焼が停止され、給湯装置１０による給湯が停止されると送信が停止される。リモートコントローラ２００では、たとえば、給湯信号が受信されている時間がカウントされ、この時間を用いて給湯量が算出され、各給湯時の給湯量を積算した積算量が表示部２０３に表示される。
【００６８】
給湯信号が停止している場合は、燃焼器１０３が間欠動作において一時的に燃焼を停止したのではなく、給湯装置１０による給湯が停止したことにより、連続動作または間欠動作していた燃焼器１０３が燃焼を停止したことを意味する。よって、制御部１２１は、給湯信号が停止していると判定すると（Ｓ３０４：ＹＥＳ）、燃焼信号の送信を停止する（Ｓ３０５）。図５に示すように、制御部２０１は、燃焼信号の受信が停止すると（Ｓ４０１：ＮＯ）、燃焼ランプ２０４を消灯させる（Ｓ４０３）。つまり、実質的には、制御部１２１が、燃焼信号の停止により燃焼ランプ２０４を消灯させることになる。
【００６９】
一方、給湯信号が停止していない場合は、燃焼器１０３が間欠動作において一時的に燃焼を停止したことを意味する。よって、制御部１２１は、給湯信号が停止していないと判定すると（Ｓ３０４：ＮＯ）、フレームロッド信号の立ち上がりから規定時間（たとえば、５秒）が経過しているか否かを判定する（Ｓ３０６）。
【００７０】
燃焼器１０３の間欠動作における燃焼時間が短く、規定時間が経過していない場合は、間欠動作の周期が短くなる虞がある。よって、この場合（Ｓ３０６:ＮＯ）、制御部１２１は、燃焼信号の送信を継続する。そして、制御部１２１は、フレームロッド信号がオンするか給湯信号が停止するかを待つ（Ｓ３０７、Ｓ３０８）。制御部１２１は、フレームロッド信号がオンすれば（Ｓ３０７：ＹＥＳ）、Ｓ３０３の処理へと戻ってフレームロッド信号のオフを監視する。一方、フレームロッド信号がオンする前に給湯信号が停止すれば（Ｓ３０８：ＹＥＳ）、制御部１２１は、Ｓ３０５の処理へ進んで、燃焼信号の送信を停止する。さらに、フレームロッド信号の立ち上がり、即ち燃焼器１０３の動作開始からの経過時間の計測は、規定時間が経過しない間はフレームロッド信号がオフしても継続される。よって、フレームロッド信号がオンする前に規定時間が経過した場合にも（Ｓ３０６：ＹＥＳ）、制御部１２１は、Ｓ３０５の処理へ進んで、燃焼信号の送信を停止する。
【００７１】
なお、経過時間の計測は、規定時間が経過する前にＳ３０７でフレームロッド信号がオンしたと判定された場合に、リセットされた後に再開される。
【００７２】
一方、燃焼器１０３の間欠動作における燃焼時間が長く、規定時間が経過している場合は、間欠動作の周期が短くなりにくい。よって、この場合（Ｓ３０６:ＹＥＳ）、制御部１２１は、燃焼信号の送信を停止する（Ｓ３０５）。
【００７３】
図６（ａ）は、燃焼器１０３の間欠動作の周期が短いときの燃焼ランプ２０４による燃焼表示について説明するための図であり、図６（ｂ）は、燃焼器１０３の間欠動作の周期が短くないときの燃焼ランプ２０４による燃焼表示について説明するための図である。
【００７４】
図６（ａ）に示すように、燃焼器１０３の間欠動作の周期が短いときは、燃焼期間が規定時間を超えないため、燃焼器１０３の燃焼が停止しても燃焼ランプ２０４が消灯しない。即ち、間欠動作の間、燃焼ランプ２０４が点灯し続ける。よって、燃焼ランプ２０４が短い周期で点滅を繰り返すことを回避できるので、ユーザが違和感を覚えにくい。
【００７５】
これに対し、図６（ｂ）に示すように、燃焼器１０３の間欠動作の周期が長いときは、燃焼期間が規定時間を超えるため、燃焼器１０３の燃焼が停止すると燃焼ランプ２０４が消灯する。即ち、間欠動作の間、燃焼および燃焼停止に同期して燃焼ランプ２０４が点灯および消灯する。よって、ユーザは、実際の燃焼器１０３の動作状態を確認できる。しかも、燃焼ランプ２０４は、長い周期で点滅を繰り返すことになるので、ユーザが違和感を覚えにくい。
【００７６】
＜実施形態の効果＞
本実施形態によれば、以下の効果が奏され得る。
【００７７】
要求号数に基づいて燃焼器１０３の発熱量が調節される場合に、その発熱量が調節可能な最低の発熱量を下回るときには、燃焼器１０３が間欠動作を行う。これにより、要求号数が低くなるような場合でも、１次熱交換器１０４および２次熱交換器１０５により加熱された後の湯の温度を、予め設定された缶体設定温度ＴＴに近い温度に維持でき、温度が安定した給湯を行うことができる。
【００７８】
しかも、燃焼器１０３の間欠動作時には、燃焼器１０３の燃焼が停止しているときにも点灯が継続されるように燃焼ランプ２０４が制御されるので、燃焼ランプ２０４が短い周期で点滅を繰り返すことを防止でき、ユーザが違和感を覚えてしまうことを防止できる。また、燃焼信号の送信と停止が頻発することにより２芯通信線Ｓで通信混線が生じて、給湯器１００からリモートコントローラ２００へ他の信号が適切なタイミングで送信できなくなる、ということを防止できる。
【００７９】
また、間欠動作時、燃焼器１０３が燃焼する期間が所定時間よりも長い場合は、その燃焼が停止したときに燃焼ランプ２０４が消灯する。即ち、燃焼器１０３が燃焼する期間が長いために間欠動作の周期が長くなり、燃焼ランプ２０４が短い周期で点滅しないときには、燃焼および燃焼停止に同期して燃焼ランプ２０４が点灯および消灯する。このため、ユーザが違和感を覚えることを防止しつつ、ユーザが間欠動作時の実際の燃焼器１０３の動作状態を確認することが可能となる。
【００８０】
また、燃焼器１０３が燃焼を開始してからの経過時間の計測が燃焼の停止した後も継続し、経過時間が規定時間に到達した場合に燃焼ランプ２０４が消灯するので、間欠動作時に、動作と停止とが、双方の時間が長くなる周期で繰り返された場合に、停止時間が長いにもかかわらずいつまでも燃焼ランプ２０４が点灯し続ける、といった状態を回避でき、ユーザが違和感を覚えることを防止できる。
【００８１】
＜変更例＞
本発明に係る給湯装置は、上記実施形態の構成に限定されるものではなく、種々の変更が可能である。
【００８２】
図７は、変更例に係る、給湯器１００の制御部１２１により実行される燃焼ランプ２０４の燃焼表示の制御に係る処理を示すフローチャートである。図８は、変更例に係る、リモートコントローラ２００の制御部２０１により実行される燃焼ランプ２０４の燃焼表示の制御に係る処理を示すフローチャートである。
【００８３】
上記実施形態では、燃焼器１０３の間欠動作時において燃焼ランプ２０４が点灯するときの表示態様、即ち発光色が、燃焼器１０３の連続動作時において燃焼ランプ２０４が点灯するときの表示態様、即ち発光色と同じとされた。これに対し、本変更例では、間欠動作時に燃焼ランプ２０４が点灯するときの表示態様、即ち発光色が、連続動作時に燃焼ランプ２０４が点灯するときの表示態様、即ち発光色と異なるようにされる。
【００８４】
図７を参照し、制御部１２１は、フレームロッド信号がオンすると（Ｓ５０１：ＹＥＳ）、燃焼器１０３が間欠動作中であるか否かを判定する（Ｓ５０２）。そして、燃焼器１０３が間欠動作中であれば（Ｓ５０２：ＹＥＳ）、制御部１２１は、リモートコントローラ２００の制御部２０１へ間欠状態燃焼信号を送信する（Ｓ５０３）。
【００８５】
次に、制御部１２１は、フレームロッド信号がオフすると（Ｓ５０４:ＹＥＳ）、給湯信号が停止しているか否かを判定する（Ｓ５０５）。給湯信号が停止している場合（Ｓ５０５：ＹＥＳ）、給湯装置１０による給湯が停止したことにより、間欠動作していた燃焼器１０３が燃焼を停止したと見做せるので、制御部１２１は、間欠状態燃焼信号の送信を停止する（Ｓ５０６）。
【００８６】
一方、給湯信号が停止していない場合は（Ｓ５０５:ＮＯ）、燃焼器１０３が間欠動作において一時的に燃焼を停止したと見做せるので、制御部１２１は、間欠状態燃焼信号の送信を継続したまま、フレームロッド信号がオンしたか否かを判定する（Ｓ５０７）。そして、給湯信号が停止するかフレームロッド信号がオンするまで、Ｓ５０５とＳ５０７の処理を繰り返す。そして、制御部１２１は、フレームロッド信号がオンすれば（Ｓ５０７：ＹＥＳ）、Ｓ５０４の処理に戻って、フレームロッド信号のオフを監視し、給湯信号が停止すれば（Ｓ５０５：ＹＥＳ）、Ｓ５０６の処理に進み、間欠状態燃焼信号の送信を停止する。
【００８７】
一方、Ｓ５０１でフレームロッド信号のオンを検出したときに、燃焼器１０３が連続動作中であれば（Ｓ５０２：ＮＯ）、制御部１２１は、リモートコントローラ２００の制御部２０１へ燃焼信号を送信する（Ｓ５０８）。そして、フレームロッド信号がオフすると（Ｓ５０９:ＹＥＳ）、制御部１２１は、燃焼信号の送信を停止する（Ｓ５１０）。
【００８８】
なお、図７のフローチャートには示されていないが、間欠状態燃焼信号が送信されている間に、燃焼器１０３が間欠動作から連続動作に切り替わった場合、制御部１２１は、Ｓ５０８の処理に移行し、間欠状態燃焼信号に変えて燃焼信号を送信する。また、燃焼信号が送信されている間に、燃焼器１０３が連続動作から間欠動作に切り替わった場合、制御部１２１は、Ｓ５０３の処理に移行し、燃焼信号に変えて間欠状態燃焼信号を送信する。
【００８９】
図８を参照し、制御部２０１は、燃焼信号を受信すると（Ｓ６０１：ＹＥＳ）、燃焼信号が受信されている間、燃焼ランプ２０４を第１色、たとえば赤色の発光色で点灯させる（Ｓ６０２）。また、制御部２０１は、間欠状態燃焼信号を受信すると（Ｓ６０３：ＹＥＳ）、間欠状態燃焼信号が受信されている間、燃焼ランプ２０４を第２色、たとえば黄色の発光色で点灯させる（Ｓ６０４）。そして、制御部２０１は、燃焼信号または間欠状態燃焼信号の受信が停止すると（Ｓ６０１：ＮＯ→Ｓ６０３:ＮＯ）、燃焼ランプ２０４を消灯させる（Ｓ６０５）。
【００９０】
このように、制御部１２１は、燃焼器１０３の間欠動作時には、燃焼器１０３が停止しているときにも燃焼ランプ２０４を点灯させる。これにより、燃焼ランプ２０４が短い周期で点滅を繰り返すことを防止でき、ユーザが違和感を覚えてしまうことを防止できる。
【００９１】
さらに、制御部１２１は、燃焼器１０３の間欠動作時には、燃焼ランプ２０４を、燃焼器１０３の連続動作時の発光色とは異なる発光色で点灯させる。これにより、ユーザは、燃焼器１０３が間欠動作していることを、燃焼ランプ２０４の点灯形態（発光色）の違いにより把握することができる。
【００９２】
なお、本変更例においても、上記実施形態と同様に、間欠動作時において、燃焼器１０３が燃焼する期間が規定時間よりも長い場合は、その燃焼が停止したときに燃焼ランプ２０４が消灯するような構成が採られてよい。
【００９３】
＜その他の変更例＞
上記実施形態では、要求熱量である要求号数が、（式１）による演算により取得された。しかしながら、これに限られず、たとえば、入水温度Ｔｉｎと缶体流量Ｑに対応付けられて要求号数ＱＲが設定されたテーブルが制御部１２１のメモリに用意され、このテーブルを参照することにより、要求号数が取得されるようにしてもよい。
【００９４】
また、上記実施形態および上記変更例では、燃焼器１０３の燃焼表示が燃焼ランプ２０４により行われた。しかしながら、たとえば、燃焼器１０３の燃焼表示が表示部２０３により行われてもよい。この場合、表示部２０３には、たとえば、燃焼器１０３が燃焼すると燃焼マークが表示される。そして、燃焼器１０３の燃焼が停止すると、燃焼マークが消される。また、上記変更例のように、燃焼器１０３が連続動作しているときと間欠動作しているときとで表示部２０３の表示態様を変える場合には、燃焼マークの色や形状を異なるようにするとよい。
【００９５】
さらに、上記実施形態では、給湯器１００の制御部１２１は、リモートコントローラ２００の制御部２０１を介して燃焼ランプ２０４を制御するような構成とされた。しかしながら、制御部１２１は、直接、燃焼ランプ２０４を制御するような構成とされてもよい。
【００９６】
さらに、上記実施形態では、フレームロッド信号の立ち上がりからの経過時間の計測が、フレームロッド信号がオフしても、規定時間が経過するか、再びフレームロッド信号がオンするかしなければ継続された。しかしながら、経過時間の計測は、フレームロッド信号がオフしたときに停止してもよい。この場合は、フレームロッド信号のオン時間、即ち燃焼器１０３の動作時間が規定時間より短ければ、燃焼器１０３の動作停止中、その停止時間の長さに関わらず、燃焼信号が停止せずに燃焼ランプ２０４は点灯したままとなる。
【００９７】
さらに、上記実施形態では、燃焼信号および給湯信号は、それら信号が存在する場合にリモートコントローラ２００へ送信し続けるように構成されたが、これに代えて、信号状態が変化した場合（信号ＯＮ→ＯＦＦ、信号ＯＦＦ→ＯＮ）にのみ送信するようにしてもよい。このように構成されれば、通信量を抑制できる。
【００９８】
さらに、上記実施形態では、図２のＳ１０１のＭＯＱ以上か否かの判定およびＳ１０４のＭＯＱ未満か否かの判定に、缶体流量が用いられた。しかしながら、これに代えてあるいはこれとともに、トータル流量（缶体流量＋バイパス流量（配管１１１の流量））が用いられてもよい。トータル流量は、流量センサ１３４の検知流量および分配弁１１２の開度（制御位置）によって求められる。トータル流量を用いて判定される場合のＭＯＱは、缶体流量を用いて判定される場合のＭＯＱとは異なる値となる。
【００９９】
さらに、上記実施形態では、要求号数ＱＲが最低号数を下回る場合に、燃焼器１０３の間欠動作が行われる。しかしながら、要求号数ＱＲが最低号数よりも少し高い所定号数を下回る場合に、燃焼器１０３の間欠動作が行われるようにされてもよい。
【０１００】
さらに、上記実施形態では、燃焼器１０３の発熱量が、比例弁１０８の開度、即ち、燃料ガスの供給量により調節された。しかしながら、燃焼器１０３が複数のバーナーを備える場合には、燃焼器１０３の発熱量が、比例弁１０８の開度と点火されるバーナーの個数により調節されてもよい。
【０１０１】
さらに、給湯器１００の構成は、図１に示した構成に限られるものではなく、適宜変更可能である。
【０１０２】
さらに、上記実施形態では、給湯のみが可能な給湯装置１０が例示されたが、給湯とともに風呂の追い焚きが可能な給湯装置１０に本発明が適用されてもよい。本発明は、給湯とともに温水暖房が可能な給湯装置に適用されてもよい。また、ガス式に限らず、オイル式等の他の燃焼方式の給湯装置に本発明が適用されてもよい。さらに、燃焼方式の給湯装置でなく、発熱部が電気ヒータ等である電気方式の給湯装置に本発明が適用されてもよい。
【０１０３】
この他、本発明の実施形態は、特許請求の範囲に記載の範囲で適宜種々の変更可能である。
【符号の説明】
【０１０４】
１０  給湯装置
１０３  燃焼器(発熱部)
１２１  制御部
２０４  燃焼ランプ（表示部）
【図１】
2020204439.tif 000003
【図２】
2020204439.tif 000004
【図３】
2020204439.tif 000005
【図４】
2020204439.tif 000006
【図５】
2020204439.tif 000007
【図６】
2020204439.tif 000008
【図７】
2020204439.tif 000009
【図８】
2020204439.tif 000010